【手続補正書】
【提出日】平成20年4月21日(2008.4.21)
【手続補正１】
【補正対象書類名】明細書
【補正対象項目名】特許請求の範囲
【補正方法】変更
【補正の内容】
【特許請求の範囲】
【請求項１】
振れを補正する補正手段、該補正手段を係止する係止手段を具備し、振れ補正を行う防振システムと、該防振システムを防振準備状態とする為の防振プレ操作手段とを有するレンズ装置において、
前記防振プレ操作手段は、手動操作部材と、該手動操作部材の操作に連動して、前記係止手段を前記補正手段を係止した状態から係止解除状態にして該係止解除を保持する駆動機構とを有することを特徴とするレンズ装置。
【請求項２】
前記防振システムを駆動させる為の防振メイン操作手段と、前記防振プレ操作手段により前記補正手段が係止解除された状態において、前記防振メイン操作手段が操作されることにより、前記防振システムを動作させる制御手段とを有することを特徴とする請求項１に記載のレンズ装置。
【請求項３】
係止状態にある前記補正手段を係止解除状態に設定するまでの、前記手動操作部材の操作域に遊びの範囲を設け、該遊びの範囲内において、前記駆動機構を作動させる為にオンにされ、電気的に前記補正手段を該レンズ装置の光学系の光軸中心に固定する制御を開始させる為の第１のスイッチを具備したことを特徴とする請求項１又は２に記載のレンズ装置。
【請求項４】
前記第第１のスイッチのオンによる、前記補正手段を該レンズ装置の光学系の光軸中心に固定する電気的制御は、前記防振メイン操作手段が操作されるまで行われることを特徴とする請求項３に記載のレンズ装置。
【請求項５】
前記補正手段の係止解除状態を維持する為の防振準備状態を保持する保持手段と、係止状態にある前記補正手段を係止解除状態に設定できるまで前記手動操作部材を操作した時点でオンし、前記保持手段を作動させる第２のスイッチとを具備したことを特徴とする請求項１乃至４のいずれかに記載のレンズ装置。
【請求項６】
前記保持手段は、電磁クラッチを有し、
前記電磁クラッチは、前記第２のスイッチのオンに応答して通電され、前記補正手段の係止解除された状態を維持することを特徴とする請求項５に記載のレンズ装置。
【請求項７】
前記第２のスイッチは、前記係止解除状態にある前記補正手段を係止状態にする為の前記手動操作部材の操作によってオフし、前記電磁クラッチは、前記第２のスイッチのオフにより非通電状態となって前記補正手段の係止解除状態を維持しないことを特徴とする請求項６に記載のレンズ装置。
【請求項８】
前記電磁クラッチへの通電が断たれ、前記補正手段の係止解除状態の維持が不能となることにより、前記駆動機構の構成要素の一つであるバネが作用し、前記補正手段を前記係止手段によって係止させることを特徴とする請求項７に記載のレンズ装置。
【請求項９】
前記電磁クラッチは、第３のスイッチが操作されることにより、前記保持手段を非作動とし、前記補正手段の係止解除状態の維持を停止させ、前記係止手段を機能させることを特徴とする請求項６乃至８のいずれかに記載のレンズ装置。
【手続補正２】
【補正対象書類名】明細書
【補正対象項目名】００１４
【補正方法】変更
【補正の内容】
【００１４】
上記支持枠１１５には、図２７に示す様に、ベアリング等の摺動部材１１９ａが固定軸１１９ｂに抜け止めのワッシャ１２０を介して固定されており、該摺動部材１１９ａには例えばフッ素系のグリスを塗布し、ここにＬ字型の板材１２１が、該Ｌ字板材１２１に設けられた嵌合溝１２１ａ（図２４参照）位置において挿入される。
【手続補正３】
【補正対象書類名】明細書
【補正対象項目名】００６９
【補正方法】削除
【補正の内容】
【手続補正４】
【補正対象書類名】明細書
【補正対象項目名】００７０
【補正方法】変更
【補正の内容】
【００７０】
【課題を解決するための手段】
上記第１の目的を達成するために、請求項１及び２に記載の発明は、振れを補正する補正手段、該補正手段を係止する係止手段を具備し、振れ補正を行う防振システムと、該防振システムを防振準備状態とする為の防振プレ操作手段とを有するレンズ装置において、前記防振プレ操作手段が、手動操作部材と、該手動操作部材の操作に連動して、前記係止手段を前記補正手段を係止した状態から係止解除状態にしてその状態を保持する駆動機構とを有するレンズ装置とするものである。
【手続補正５】
【補正対象書類名】明細書
【補正対象項目名】００７１
【補正方法】変更
【補正の内容】
【００７１】
また、上記第２の目的を達成するために、請求項３及び４に記載の発明は、係止状態にある前記補正手段を係止解除状態に設定するまでの、前記手動操作部材の操作域に遊びの範囲を設け、該遊びの範囲内において、前記駆動機構を作動させる為にオンにされ、電気的に前記補正手段を該レンズ装置の光学系の光軸中心に固定する制御を開始させる為の第１のスイッチを具備した請求項１又は２に記載のレンズ装置とするものである。
【手続補正６】
【補正対象書類名】明細書
【補正対象項目名】００７２
【補正方法】変更
【補正の内容】
【００７２】
また、上記第３の目的を達成するために、請求項５及び６に記載の発明は、前記係止手段による前記補正手段の係止解除状態を維持する為の防振準備状態を保持する保持手段と、係止状態にある前記補正手段を係止解除状態に設定できるまで前記手動操作部材を操作した時点でオンし、前記保持手段を作動させる第２のスイッチとを具備した請求項１乃至４のいずれかに記載のレンズ装置とするものである。
【手続補正７】
【補正対象書類名】明細書
【補正対象項目名】００７３
【補正方法】変更
【補正の内容】
【００７３】
また、上記第４の目的を達成するために、請求項７及び８に記載の発明は、前記第２のスイッチを、前記係止解除状態にある前記補正手段を係止状態にする為の前記手動操作部材の操作によってオフするものとし、前記電磁クラッチを、前記第２のスイッチのオフにより非通電状態となって前記係止手段による前記補正手段の係止解除状態を維持不能とするものとする請求項６に記載のレンズ装置とするものである。
【手続補正８】
【補正対象書類名】明細書
【補正対象項目名】００７４
【補正方法】削除
【補正の内容】
【手続補正９】
【補正対象書類名】明細書
【補正対象項目名】００７５
【補正方法】変更
【補正の内容】
【００７５】
また、上記第５の目的を達成するために、請求項９に記載の発明は、前記保持手段に電磁クラッチを具備し、第３のスイッチが操作されることにより、前記電磁クラッチが前記保持手段を非作動とし、前記係止手段による前記補正手段の係止解除状態の維持を停止させ、前記係止手段を機能させる請求項６乃至８のいずれかに記載のレンズ装置とするものである。
【手続補正１０】
【補正対象書類名】明細書
【補正対象項目名】００７６
【補正方法】削除
【補正の内容】
【手続補正１１】
【補正対象書類名】明細書
【補正対象項目名】０１３８
【補正方法】変更
【補正の内容】
【０１３８】
上記実施の第３の形態における図１４の構成と異なるのは、図１８及び図１９に示す通り、切替継手機構であるところの電磁クラッチ１５の、一方の軸１５ｂを回転規制している固定板１９の代わりに、同じく該軸１５ｂの回転規制を行う固定板５０に、絶縁シート５１を介して第３のスイッチ５２がビス等によってネジ止め固定され、該第３のスイッチ５２の上面にスイッチカバー５３が取り付くような係止装置筐体４９が構成されている点である。
【手続補正１２】
【補正対象書類名】明細書
【補正対象項目名】０１４５
【補正方法】変更
【補正の内容】
【０１４５】
以上に述べた実施の第４の形態によれば、撮影者が一旦振れ補正を有効とする撮影状態、若しくは撮影待機状態にした後、振れ補正を、意図的に行わずに撮影しようとした場合において、誤操作防止の観点から比較的操作のしにくい箇所に設けられた防振レバー４５に触れる事無く、前記第３のスイッチ５２をオン操作（この実施の形態の場合、第３のスイッチ５２の押込み操作）するだけで、補正手段の係止が行われる構成となっており、前記防振レバー４５による係止解除操作に比べて、より撮影状況に適した操作形態を可能としている。
【手続補正１３】
【補正対象書類名】明細書
【補正対象項目名】０１４７
【補正方法】変更
【補正の内容】
【０１４７】
【発明の効果】
以上説明したように、請求項１又は２に記載の発明によれば、補正手段の係止解除に要する駆動機構の電力消費を廃し、該レンズ装置の多機能化に伴う電源の消費電力の割振りを有利なものとすると共に、小型化、低コスト化を図ることができるレンズ装置を提供できるものである。
【手続補正１４】
【補正対象書類名】明細書
【補正対象項目名】０１４８
【補正方法】変更
【補正の内容】
【０１４８】
また、請求項３又は４に記載の発明によれば、係止手段による補正手段の係止解除の遅れに伴う不快感、及び撮像の失敗を防ぐことができるレンズ装置を提供できるものである。
【手続補正１５】
【補正対象書類名】明細書
【補正対象項目名】０１４９
【補正方法】変更
【補正の内容】
【０１４９】
また、請求項５又は６に記載の発明によれば、防振プレ操作手段の操作性を向上させ、かつ、更なる省電化を実現することができるレンズ装置を提供できるものである。
【手続補正１６】
【補正対象書類名】明細書
【補正対象項目名】０１５０
【補正方法】変更
【補正の内容】
【０１５０】
また、請求項７又は８に記載の発明によれば、該レンズ装置への給電が断たれても、又該レンズ装置が給電を受ける本体装置から不用意に取り外されたとしても、補正手段を確実に係止状態に保持し、外乱振動による補正手段の破損を防止することができるレンズ装置を提供できるものである。
【手続補正１７】
【補正対象書類名】明細書
【補正対象項目名】０１５１
【補正方法】変更
【補正の内容】
【０１５１】
また、請求項９に記載の発明によれば、該レンズ装置の使用中に、防振システムを非作動の状態に設定する操作を容易に行うことができるレンズ装置を提供できるものである。
【手続補正１８】
【補正対象書類名】明細書
【補正対象項目名】０１５２
【補正方法】削除
【補正の内容】